【手続補正書】
【提出日】平成15年8月20日(2003.8.20)
【手続補正１】
【補正対象書類名】明細書
【補正対象項目名】特許請求の範囲
【補正方法】変更
【補正の内容】
【特許請求の範囲】
【請求項１】
デジタル・ビデオ・ストリームを生成するための方法であって、
メディア生成装置において、アナログ・ビデオ・ストリームをデジタル化することなしに、前記ビデオ・ストリーム中に含むコンテンツを表示するデータに基づいて、中間デジタル・コンテンツを生成し、
中間デジタル・コンテンツをエンコーダに転送し、
前記エンコーダにおいて、前記中間デジタル・コンテンツを前記デジタル・ビデオ・ストリームにエンコードすることを特徴とする方法。
【請求項２】
メディア生成装置において、中間デジタル・コンテンツを生成する前記ステップに先行して、
利用可能な設定オプションのリストをユーザに呈示し、
前記ユーザによって選択された利用可能な設定オプションの前記リストに対応する１組のユーザの好みを記録し、
前記１組のユーザの好みをメディア生成装置に転送する、
ステップを更に含むことを特徴とする、請求項１に記載の方法。
【請求項３】
前記デジタル・ビデオ・ストリームに含まれるコンテンツを表示する前記データが、特定の背景色、スクリーン上に呈示されたオブジェクトの特定の数、スクリーン上に呈示されたオブジェクトの特定の色、スクリーン上に呈示されたオブジェクトの特定の形状、スクリーン上に呈示されたオブジェクトの特定の速度、及び呈示時に再生される特定の音声からなるグループから選択された、少なくとも１つの構成を含むことを特徴とする、請求項１に記載の方法。
【請求項４】
前記メディア生成装置が、ローカル記憶装置に動作可能に接続されており、前記ローカル記憶装置が、電子的な静止画像又はビデオを記憶していることを特徴とする、請求項１に記載の方法。
【請求項５】
前記中間デジタル・コンテンツを生成するステップは、前記メディア生成装置が前記ローカル記憶装置からデジタル画像、ビデオ、又は音声を取り込むことを含むことを特徴とする、請求項４に記載の方法。
【請求項６】
前記中間デジタル・コンテンツを生成するステップは、前記メディア生成装置が１つ又はそれ以上のフレーム上で少なくとも１つのタイムスタンプを生成することを含み、
前記１つ又はそれ以上の各フレームのために、前記少なくとも１つのタイムスタンプが、前記フレームがエンコードされる時間、前記フレームがデジタル・ビデオ・サーバによって供給される時間、及び前記フレームがクライアントによって表示される時間からなるグループから選択された、少なくとも１つのメンバーを表示することを特徴とする、請求項１に記載の方法。
【請求項７】
中間デジタルビデオの前記セグメントを前記デジタル・ビデオ・ストリームにデジタル化する前記ステップが、ＤＶＢ標準、ＡＴＳＣ標準、ＭＰＥＧ−１標準、ＭＰＥＧ−２標準、ＡＶＩ標準、ＱｕｉｃｋＴｉｍｅ標準、及びＭＰＥＧ−４標準からなるグループから選択された、少なくとも１つのメンバーによるデジタル化を含むことを特徴とする、請求項１に記載の方法。
【請求項８】
利用可能な設定オプションのリストをユーザに呈示する前記ステップが、１つ又はそれ以上のウェブページをユーザに呈示することによって実行されることを特徴とする、請求項２に記載の方法。
【請求項９】
前記１組のユーザの好みをメディア生成装置に転送するステップが、インターネット及び専用イントラネットからなるグループから選択された、少なくとも１つのメンバー上で実行されることを特徴とする、請求項２に記載の方法。
【請求項１０】
中間デジタルビデオの前記セグメントを前記デジタル・ビデオ・ストリームにデジタル化する前記ステップが、リアルタイムで発生することを特徴とする、請求項１に記載の方法。
【請求項１１】
サーバからクライアントにダイナミック・コンテンツを呈示するために、１つ又はそれ以上の命令シーケンスを搬送するコンピュータ読取可能媒体であって、１つ又はそれ以上のプロセッサによる前記１つ又はそれ以上の命令シーケンスの実行によって、前記１つ又はそれ以上のプロセッサが、
メディア生成装置において、アナログ・ビデオ・ストリームをデジタル化することなしに、前記ビデオ・ストリーム中に含むコンテンツを表示するデータに基づいて、中間デジタル・コンテンツを生成し、
中間デジタル・コンテンツをエンコーダに転送し、
前記エンコーダにおいて、前記中間デジタル・コンテンツを前記デジタル・ビデオ・ストリームにエンコードする、
各ステップの実行を可能にすることを特徴とする媒体。
【請求項１２】
１つ又はそれ以上のプロセッサによる前記１つ又はそれ以上の命令シーケンスの実行によって、メディア生成装置において中間デジタル・コンテンツを生成する前記ステップに先行して、前記１つ又はそれ以上のプロセッサが、
利用可能な設定オプションのリストをユーザに呈示し、
前記ユーザによって選択された利用可能な設定オプションの前記リストに対応する１組のユーザの好みを記録し、
前記１組のユーザの好みをメディア生成装置に転送する、
各ステップの実行を可能にすることを特徴とする、請求項１１に記載のコンピュータ読取可能媒体。
【請求項１３】
前記デジタル・ビデオ・ストリームに含むコンテンツを表示する前記データが、特定の背景色、スクリーン上に呈示されたオブジェクトの特定の数、スクリーン上に呈示されたオブジェクトの特定の色、スクリーン上に呈示されたオブジェクトの特定の形状、スクリーン上に呈示されたオブジェクトの特定の速度、及び呈示時に再生される特定の音声からなるグループから選択された、少なくとも１つのメンバーを含むことを特徴とする、請求項１１に記載のコンピュータ読取可能媒体。
【請求項１４】
前記メディア生成装置が、ローカル記憶装置に動作可能に接続され、前記ローカル記憶装置が、電子静止画像又はビデオを記憶することを特徴とする、請求項１１に記載のコンピュータ読取可能媒体。
【請求項１５】
中間デジタル・コンテンツを生成する前記ステップは、前記メディア生成装置が前記ローカル記憶装置からデジタル画像、ビデオ、又は音声を取り込むことを含むことを特徴とする、請求項１４に記載のコンピュータ読取可能媒体。
【請求項１６】
中間デジタル・コンテンツを生成する前記ステップは、前記メディア生成装置が１つ又はそれ以上のフレーム上で少なくとも１つのタイムスタンプを生成することを含み、前記１つ又はそれ以上の各フレームのために、前記少なくとも１つのタイムスタンプが、前記フレームがエンコードされる時間、前記フレームがデジタル・ビデオサーバによって提供される時間、及び前記フレームがユーザによって表示される時間からなるグループから選択された、少なくとも１つのメンバーを表示することを特徴とする、請求項１１に記載のコンピュータ読取可能媒体。
【請求項１７】
中間デジタルビデオの前記セグメントを前記デジタル・ビデオ・ストリームにデジタル化する前記ステップが、ＤＶＢ標準、ＡＴＳＣ標準、ＭＰＥＧ−１標準、ＭＰＥＧ−２標準、ＡＶＩ標準、ＱｕｉｃｋＴｉｍｅ標準、及びＭＰＥＧ−４標準からなるグループから選択された、少なくとも１つのメンバーによるデジタル化を含むことを特徴とする、請求項１１に記載のコンピュータ読取可能媒体。
【請求項１８】
利用可能な設定オプションのリストをユーザに呈示する前記ステップが、１つ又はそれ以上のウェブページをユーザに呈示することによって実行されることを特徴とする、請求項１２に記載のコンピュータ読取可能媒体。
【請求項１９】
前記１組のユーザの好みをメディア生成装置に転送するステップが、インターネット及び専用イントラネットからなるグループから選択された、少なくとも１つのメンバー上で実行されることを特徴とする、請求項１２に記載のコンピュータ読取可能媒体。
【請求項２０】
中間デジタルビデオの前記セグメントを前記デジタルビデオ・ストリームにデジタル化する前記ステップが、リアルタイムで発生することを特徴とする、請求項１１に記載のコンピュータ読取可能媒体。
【請求項２１】
デジタル・コンテンツを生成するためのシステムであって、
前記デジタル・コンテンツを構成する方法を示すデータに基づいて、前記デジタル・コンテンツを生成するためのメディア生成手段と、
前記デジタル・コンテンツを構成する方法を示す前記データに基づいて前記デジタル・コンテンツをエンコードするためのエンコーダ手段とを有し、
前記エンコーダが前記メディア生成装置に動作可能に接続されていることを特徴とするシステム。
【請求項２２】
前記デジタル・コンテンツを構成する方法を示す前記データを記録するための構成マネージャー手段を更に含み、
前記構成マネージャーが、前記メディア生成装置に動作可能に接続されていることを特徴とする、請求項２１に記載の装置。
【請求項２３】
前記デジタル・コンテンツを構成する方法を示す前記データが、特定の背景色、スクリーン上に呈示されたオブジェクトの特定の数、スクリーン上に呈示されたオブジェクトの特定の色、スクリーン上に呈示されたオブジェクトの特定の形状、スクリーン上に呈示されたオブジェクトの特定の速度、及び呈示時に再生される特定の音声からなるグループから選択された、少なくとも１つのメンバーを含むことを特徴とする、請求項２１に記載の装置。
【請求項２４】
前記メディア生成手段が、ローカル記憶装置に動作可能に接続されており、それにより前記ローカル記憶装置が、デジタル画像、音声、及びビデオを記憶し、前記メディア生成手段が前記デジタル・コンテンツの生成において、前記ローカル記憶装置から電子デジタル画像、音声、及びビデオを取り込むことを特徴とする、請求項２１に記載の装置。
【請求項２５】
前記デジタル・コンテンツを構成する方法を示す前記データが、１つ又はそれ以上のフレーム上で少なくとも１つのタイムスタンプを生成する前記メディア生成装置を含み、前記１つ又はそれ以上の各フレームのために、前記少なくとも１つのタイムスタンプが、前記フレームがエンコードされる時間、前記フレームがデジタル・ビデオサーバによって提供される時間、及び前記フレームがユーザによって表示される時間からなるグループから選択された、少なくとも１つのメンバーを表示することを特徴とする、請求項２１に記載の装置。
【請求項２６】
前記デジタル・コンテンツを構成する方法を示す前記データが、ＤＶＢ標準、ＡＴＳＣ標準、ＭＰＥＧ−１標準、ＭＰＥＧ−２標準、ＡＶＩ標準、ＱｕｉｃｋＴｉｍｅ標準、及びＭＰＥＧ−４標準からなるグループから選択された、少なくとも１つのフォーマットにより前記デジタル・コンテンツをエンコードする、前記エンコード手段を含むことを特徴とする、請求項２１に記載の装置。
【請求項２７】
前記構成マネージャー手段が、１つ又はそれ以上のウェブページをユーザに呈示することによって、前記デジタル・コンテンツを構成する方法を示すデータを記録することを特徴とする、請求項２２に記載の装置。
【請求項２８】
前記構成マネージャー手段から受け取られた情報が、インターネット及び専用ネットワークからなるグループから選択された、少なくとも１つのメンバー上に送られることを特徴とする、請求項２２に記載の装置。
【請求項２９】
前記エンコード手段がリアルタイムで動作することを特徴とする、請求項２１に記載の装置。